(57)【要約】【課題】デジタルカメラを保持しやすくするとともにテレビ機能等を簡単に付加するカメラ用アクセサリを提供する。【解決手段】カメラ用アクセサリ１０はアクセサリ本体１６の側部にグリップ部２５を回動自在に設けてある。アクセサリ本体１６内にＴＶチューナ２６、グリップ部２５内に補助バッテリ２７を設けてある。グリップ部２５の端部にロッドアンテナ２９を組み込んである。アクセサリ本体１６をデジタルカメラ１１の下面に取り付けると、ＴＶチューナ２６がカメラ本体１２内のＴＶ信号処理回路に電気的に接続される。電源ボタン３１を押すと、液晶ディスプレイ５０にテレビ映像が映し出される。また、補助バッテリ２７により長時間撮影が可能になる。グリップ部２５を立てた位置２５ａにすると、グリップ部２５を把持して撮影操作がしやすくなり、下げると、グリップ部２５を把持したまま長時間のテレビ観賞も可能になる。【選択図】　　　　図２
2004117952.tif 000002
【特許請求の範囲】
【請求項１】
撮影した画像等を表示する液晶ディスプレイを備えたデジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵されるとともにアクセサリ本体がデジタルカメラに取り付けられた際にデジタルカメラの電気回路と電気的に接続され、前記液晶ディスプレイにテレビ映像を表示するテレビチューナとを設けたことを特徴とするカメラ用アクセサリ。
【請求項２】
デジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵されるとともにアクセサリ本体がデジタルカメラに取り付けられた際にデジタルカメラの電気回路と電気的に接続され、デジタルカメラを遠隔操作する無線通信装置とを設けたことを特徴とするカメラ用アクセサリ。
【請求項３】
前記グリップ部は、伸縮自在のアンテナを内蔵していることを特徴とする請求項１または２いずれか記載のカメラ用アクセサリ。
【請求項４】
デジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵されるとともにアクセサリ本体がデジタルカメラに取り付けられた際にデジタルカメラと電気的に接続され、デジタルカメラに電源を供給する補助バッテリとを設けたことを特徴とするカメラ用アクセサリ。
【請求項５】
デジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵され、アクセサリ本体がデジタルカメラに取り付けられた際にデジタルカメラの電気回路と電気的に接続されるスピーカとを設けたことを特徴とするカメラ用アクセサリ。
【請求項６】
デジタルカメラの外側に着脱自在に取り付けられるカメラ用アクセサリにおいて、
デジタルカメラを保持する際に把持されるグリップ部と、このグリップ部に設けられ、被写体を照明する照明手段とを設けたことを特徴とするカメラ用アクセサリ。
【請求項７】
デジタルカメラの外側に着脱自在に取り付けられるアクセサリ本体と、このアクセサリ本体にそれぞれの一端部が軸着され、それぞれの他端部を互いに離間するように開くことにより三脚として機能する３本の脚部と、この３本の脚部を閉じた状態でロックすることにより３本の脚部を一体化してグリップ部とするロック手段とを設けたことを特徴とするカメラ用アクセサリ。
【発明の詳細な説明】
【０００１】
【発明の属する技術分野】
本発明は、カメラ用アクセサリに関し、更に詳しくはデジタルカメラを保持しやすくするとともにテレビ機能等を簡単に付加するカメラ用アクセサリに関する。
【０００２】
【従来の技術】
一眼レフ等のカメラの外側に装着することによりグリップ部を付加してカメラの保持を容易にするカメラ用アクセサリが市販されている。一方、小型のテレビチューナを着脱自在に取り付けることによりテレビが観賞できる携帯型のパーソナルコンピュータが知られている（例えば特許文献１参照）。また、近年はＣＣＤ等の固体撮像素子を用いて光学画像を電気信号に変換してメモリカード等に記憶するデジタルカメラが多く市販されている。
【０００３】
【特許文献１】
特開２００１−１８８６３２号公報（第２−４頁、図１）
【０００４】
【発明が解決しようとする課題】
上記のようなデジタルカメラは、女性でも手軽に扱える小型のものか、従来の一眼レフカメラに近い高画質であるが大型のものかに二極分化してきている。手軽に扱える小型のものでは、携帯性を重視するあまり、保持しにくいものが多く、長時間の撮影には向いていない。大型のものはグリップ部を備えて保持しやすくしているが、いつも手軽に携帯できるというものではない。また、デジタルカメラにテレビ機能等を手軽に付加したいという要望がある。
【０００５】
本発明は、保持しにくいデジタルカメラを保持しやすくするとともにテレビ機能等の便利な機能を簡単に付加するカメラ用アクセサリを提供することを目的とする。
【０００６】
【課題を解決するための手段】
上記目的を達成するために、本発明のカメラ用アクセサリは、撮影した画像等を表示する液晶ディスプレイを備えたデジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵されるとともにアクセサリ本体がデジタルカメラに取り付けられた際にデジタルカメラの電気回路と電気的に接続され、前記液晶ディスプレイにテレビ映像を表示するテレビチューナとを設けたものである。
【０００７】
また、デジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵されるとともにアクセサリ本体がデジタルカメラに取り付けられた際にデジタルカメラの電気回路と電気的に接続され、デジタルカメラを遠隔操作する無線通信装置とを設けたものである。また、前記グリップ部は、伸縮自在のアンテナを内蔵しているものである。
【０００８】
また、デジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵されるとともにアクセサリ本体がデジタルカメラに取り付けられた際にデジタルカメラと電気的に接続され、デジタルカメラに電源を供給する補助バッテリとを設けたものである。
【０００９】
また、デジタルカメラの外側に着脱自在に取り付けられるアクセサリ本体と、このアクセサリ本体に回動自在に設けられ、デジタルカメラを保持する際に把持されるグリップ部と、このグリップ部又はアクセサリ本体に内蔵され、アクセサリ本体がデジタルカメラに取り付けられた際にデジタルカメラの電気回路と電気的に接続されるスピーカとを設けたものである。また、デジタルカメラの外側に着脱自在に取り付けられるカメラ用アクセサリにおいて、デジタルカメラを保持する際に把持されるグリップ部と、このグリップ部に設けられ、被写体を照明する照明手段とを設けたものである。
【００１０】
また、デジタルカメラの外側に着脱自在に取り付けられるアクセサリ本体と、このアクセサリ本体にそれぞれの一端部が軸着され、それぞれの他端部を互いに離間するように開くことにより三脚として機能する３本の脚部と、この３本の脚部を閉じた状態でロックすることにより３本の脚部を一体化してグリップ部とするロック手段とを設けたものである。
【００１１】
【発明の実施の形態】
本発明の実施形態であるカメラ用アクセサリを示す図１及び図２において、カメラ用アクセサリ１０は、携帯性が高い比較的小型（例えば幅７８ｍｍ×高さ９８ｍｍ×奥行き３３ｍｍ程度のサイズ）のデジタルカメラ１１のデジタルカメラ本体１２の下面に着脱自在にねじ止めされる。このねじ止め用の雄ねじ１５は、アクセサリ本体１６の上面から突出しており、背面から一部が突出したダイヤル１７を回転させることにより回転する。
【００１２】
デジタルカメラ本体１２の下部には、雄ねじ１５と螺合する雌ねじ１８が設けられている。アクセサリ本体１６の上面には、カメラ用アクセサリ１０とデジタルカメラ１１とを電気的に接続する接続端子２０が設けられ、この接続端子２０と接続されるコネクタ２１がデジタルカメラ本体１２の下部に設けられている。
【００１３】
アクセサリ本体１６の一方の側部には、グリップ部２５が回動自在に設けられている。このグリップ部２５とアクセサリ本体１６との接続部には、不用意には回転しないように適度のフリクションが与えられており、任意の回転位置でグリップ部２５を止めることができる。アクセサリ本体１６の内部には、付加回路としてのテレビチューナ回路であるＴＶチューナ２６が設けられ、グリップ部２５の内部には、充電式の補助バッテリ２７が設けられている。
【００１４】
グリップ部２５の側部が爪係合式の蓋２８になっており、これを取り外すことにより補助バッテリ２７を取り出して充電を行ったり、交換することができる。
また、グリップ部２５の一端部には、伸縮自在のロッドアンテナ２９が設けられている。このロッドアンテナ２９は、通常はグリップ部２５内に収納されており、テレビ観賞したい場合のみに伸ばすようにする。
【００１５】
前記補助バッテリ２７は、ＴＶチューナ２６に電源を供給する他、デジタルカメラ本体１２に内蔵されているバッテリ３０（図３参照）より優先してデジタルカメラ本体１２に電源を供給する。これにより、バッテリ３０の消耗を少なくしてデジタルカメラ１１の長時間駆動を可能とするとともに、電力消費が激しい動画撮影に威力を発揮する。
【００１６】
アクセサリ本体１６の背面には、前記ダイヤル１７の他、電源ボタン３１，イヤフォン端子３２，「１」〜「１２」の数字が印刷してある１２個のチャンネルボタン３３，プラス，マイナスボリュームボタン３４，３５が設けられている。
前記イヤフォンジャック３２には、ヘッドフォン３８が接続され、テレビの音を聞くことができる。
【００１７】
デジタルカメラ１１の前面には、撮影レンズ４１が組み込まれたレンズ鏡筒４２及びストロボ発光部４３が設けられている。レンズ鏡筒４２は、デジタルカメラ１１が電源オフ状態にある際に、デジタルカメラ本体１２の前面に設けられた鏡筒収納部４４内に収納され、電源オンとともにデジタルカメラ本体１２の前面から突出する。
【００１８】
デジタルカメラ本体１２の一方の側面には、開閉式のスロットカバー４５が設けられ、この内部にフラッシュメモリからなるメモリカード４６（図３参照）がセットされるメモリカードスロットが設けられている。このメモリカードスロットの奥には、メモリカード４６に電気的に接続してデータの読み書きを行なうカードリーダ４７（図３参照）が組み込まれている。
【００１９】
デジタルカメラ本体１２の背面には、撮影時にはビューファインダとして機能するとともに、各種情報や撮影済み画像の表示を行う他、カメラ用アクセサリ１０を取り付けた際にはテレビ映像の表示を行う液晶ディスプレイ５０と、操作部５１と、スピーカ部５２とが設けられている。操作部５１は、電源ボタン５３，十字ボタン５４，撮影−再生切換ボタン５５，キャンセルボタン５６，実行ボタン５７，表示ボタン５８からなる。
【００２０】
デジタルカメラ本体１２の右手側（グリップ部側）の側面には、ズーミングダイヤル６１と、シャッタボタン６２とが設けられている。これらズーミングダイヤル６１，シャッタボタン６２は、仮想線で示す位置２５ａにあるグリップ部２５を把持した右手の人指し指が自然と置かれる位置に設けられている。
【００２１】
カメラ用アクセサリ１０とデジタルカメラ１１との電気的構成を示す図３において、レンズ鏡筒４２には、焦点調整を行なうフォーカス用モータと、ズーミングを行なうズーム用モータとが組み込まれている。これらのモータは、デジタルカメラ１１全体を制御するＣＰＵ６５に接続されたモータドライバ６６によって駆動制御される。また、レンズ鏡筒４２内には、絞り兼用のシャッタユニットが組み込まれており、このシャッタユニットもＣＰＵ６５によって制御される。
【００２２】
レンズ鏡筒４２の背後には、撮影レンズ４１を透過した被写体光が撮像されるＣＣＤ６８が配置されている。このＣＣＤ６８には、ＣＰＵ６５によって制御されるタイミングジェネレータ６９からタイミング信号（クロック信号）が入力される。ＣＣＤ６８から出力された信号は、相関二重サンプリング回路（ＣＤＳ）７０に入力され、ＣＣＤ６８の各セルの蓄積電荷量に正確に対応したＲ、Ｇ、Ｂの画像データとして出力される。ＣＤＳ７０から出力された画像データは、増幅器（ＡＭＰ）７１で増幅され、Ａ／Ｄ変換器７２でデジタルデータに変換される。
【００２３】
画像入力コントローラ７５は、データバス７６を介してＣＰＵ６５に接続されており、ＣＰＵ６５の命令によってＣＣＤ６８，ＣＤＳ７０，ＡＭＰ７１，Ａ／Ｄ変換器７２を制御する。また、Ａ／Ｄ変換器７２から出力された画像データをビデオメモリ７７、あるいはバッファメモリ７８に書き込む。
【００２４】
ビデオメモリ７７は、液晶ディスプレイ５０をビューファインダとして使用する際に、解像度の低い画像データが一時的に記録される。ビデオメモリ７７に記録された画像データは、データバス７６を介してＬＣＤドライバ８０に送られ、液晶ディスプレイ５０に表示される。
【００２５】
バッファメモリ７８は、撮像された高解像度の画像データが一時的に記録される。このバッファメモリ７８から読み出された画像データは、圧縮処理回路８１によってＪＰＥＧ方式で圧縮された後、メディアコントローラ８２によって駆動制御されるカードリーダ４７によりメモリカード４６に記録される。
【００２６】
画像信号処理回路８３は、撮像された高解像度の画像データがバッファメモリ７８内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００２７】
データバス７６には、ＴＶ信号処理回路８５が接続されている。このＴＶ信号処理回路８５は、コネクタ２１と接続端子２０とを介してＴＶチューナ２６に接続される。ＴＶチューナ２６は、周知のように、ロッドアンテナ２９でキャッチした電波の中からチャンネルボタン３３の操作に応じた目的の局を選択し、ＩＦ信号（中間周波信号）に変換した後、これを接続端子２０及びコネクタ２１を介してＴＶ信号処理回路８５に送る。
【００２８】
ＴＶ信号処理回路８５は、ＩＦ信号を増幅，検波し、映像信号と音声信号を取り出す。映像信号はコンポーネント信号やＲＧＢ信号に変換され、データバス７６及びＬＣＤドライバ８０を介して液晶ディスプレイ５０にテレビ映像として出力される。また、音声信号は、データバス７６を介してスピーカ部５２に出力される。イヤフォンジャック３２にヘッドフォン３８が差し込まれている場合には、音声信号はコネクタ２１，接続端子２０及びイヤフォンジャック３２を介してヘッドフォン３８に出力される。
【００２９】
前記アクセサリ本体１６とグリップ部２５との連結部は、図示していないが、グリップ部２５を回転しても、ＴＶチューナ２６とロッドアンテナ２９，接続端子２０と補助バッテリ２７の各電気的な接続が保持されるように構成されている。また、ＣＰＵ６５には、前記ズーミングダイヤル６１，シャッタボタン６２，操作部５１の他、各種のシーケンスプログラムを記憶したＲＯＭ８６が接続されている。
【００３０】
このように構成されたカメラ用アクセサリ１０をデジタルカメラ１１に装着するには、まず接続端子２０がコネクタ２１に相対するようにアクセサリ本体１６とデジタルカメラ本体１２の下面との位置を合わせながら、アクセサリ本体１６の雄ねじ１５をデジタルカメラ本体１２の雌ねじ１８に差し込んでダイヤル１７を回転する。ダイヤル１７を止まるまで回転させると、アクセサリ本体１６とデジタルカメラ本体１２の下面とが密着して接続端子２０とコネクタ２１とが電気的に接続される。
【００３１】
グリップ部２５は、図１に示すように立てた位置で用いても、また図２に示すように下げた位置で用いてもよいが、撮影が主である場合には、図１に示す立てた位置にした方がよい。この場合には、右手でグリップ部２５を把持した際に自然と右手の人指し指がズーミングダイヤル６１やシャッタボタン６２に当たるので、撮影操作が行いやすい。
【００３２】
電源ボタン５３を押してデジタルカメラ１１の電源をオンにすると、カメラ用アクセサリ１０側の補助バッテリ２７がデジタルカメラ１１側のバッテリ３０より優先して用いられる。このため、デジタルデジタルカメラ１１の動作時間が大幅に伸びるとともに、動画撮影も余裕をもって行うことができる。なお、デジタルカメラ１１の撮影シーケンスは周知であるから、説明を省略する。
【００３３】
テレビを観賞したい場合には、図２に示すように、グリップ部２５を下げてから、グリップ部２５内に収納されているロッドアンテナ２９を引き伸ばす。電源ボタン３１を押すと、ＴＶチューナ２６の電源がオンになり、前回選択されていた局の映像が液晶ディスプレイ５０に映し出されると同時に、スピーカ部５２から音が出る。
【００３４】
局を変更したい場合には、所望のチャンネルボタン３３を押せばよい。また、ヘッドフォン３８で音を聞きたい場合には、イヤフォンジャック３２にヘッドフォン３８の接続端子を差し込む。この場合、スピーカ部５２からは音が出ないようにされる。
【００３５】
グリップ部２５を下げた状態では、グリップ部２５がより把持しやすくなるから、ほとんど疲れることなく、長時間のテレビ観賞も可能になる。また、長時間の撮影では、やはりグリップ部２５を下げた状態にすると、疲労度が少なくなる。なお、長時間の撮影やテレビ観賞を予定していない場合には、カメラ用アクセサリ１０をデジタルカメラ１１から取り外すことにより、デジタルカメラ１１が軽量，小型になるから、携帯しやすくなる。
【００３６】
次に、別の実施形態を示す図４において、カメラ用アクセサリ９０は、アクセサリ本体９１に回動自在に取り付けたグリップ部９２にスピーカ部９３を内蔵するとともに、グリップ部９２を立てた状態で上方に引き伸ばせるようにグリップ部９２の端部にロッドアンテナ９４を設けてある。また、アクセサリ本体９１には、上記実施形態と同じＴＶチューナが内蔵してある。
【００３７】
スピーカ部９３は、カメラ用アクセサリ９０をデジタルカメラ１１に装着すると、接続端子２０及びコネクタ２１を介してデジタルカメラ１１のＴＶ信号処理回路８５と電気的に接続され、ＴＶ信号処理回路８５からの音声信号が入力される。この時、デジタルカメラ１１に内蔵したスピーカ部５２には、ＴＶ信号処理回路８５からの音声信号は入力されない。
【００３８】
スピーカ部９３は、スピーカ部５２より大型の高音質スピーカを用いているから、臨場感のある音でテレビ観賞を楽しむことができる。また、デジタルカメラ１１を机上等に置いた状態でロッドアンテナ９４を伸ばせるから、デジタルカメラ１１を保持する必要がなく楽にテレビ観賞を楽しむことができる。
【００３９】
デジタルカメラ１１を手で保持する場合には、グリップ部９２を立てたままでもよいし、また回転させて下げた状態にしてもよい。なお、グリップ部９２を下げた状態では、ロッドアンテナ９４は下方を向くので、カメラ用アクセサリ９０に内蔵したチューナは自動的にオフになるように構成することが好ましい。この場合、アクセサリ本体９１とグリップ部９２との連結部にチューナのスイッチを組み込めばよい。
【００４０】
次に、別の実施形態を示す図５において、カメラ用アクセサリ９５は、アクセサリ本体９６に回動自在に取り付けたグリップ部９７に無線通信装置９８を内蔵するとともに、グリップ部９２を下げた状態で上方に引き伸ばすロッドアンテナ９４を設けてある。無線通信装置９８は、図示しないリモコン装置との間で交信し、デジタルカメラ１１を遠隔操作することができる。すなわち、ズーミング操作やシャッタレリーズ操作を遠隔操作できる。また、アクセサリ本体９６に上記実施形態と同様のＴＶチューナを内蔵した場合には、離れた所からチャンネル切換等の操作を行うことができる。
【００４１】
次に、別の実施形態を示す図６において、カメラ用アクセサリ１００は、アクセサリ本体１０１に回動自在に取り付けたグリップ部１０２のアクセサリ本体１０１との連結部１０３側にビデオライト１０４を設けてある。グリップ部１０２を下げてグリップ部１０２を右手で把持すると、右手の上方にビデオライト１０４が位置してビデオライト１０４の発光部１０４ａが被写体側に向く。また、ビデオライト１０４の電源スイッチ１０５が、ビデオライト１０４の外周部の一部に設けられている。なお、ビデオライト１０４の電源電池はグリップ部１０２内に収納されている。
【００４２】
すなわち、デジタルカメラ１１の保持を容易にするカメラ用アクセサリ１００をデジタルカメラ１１に取り付けることにより、ビデオライト１０４もデジタルカメラ１１に装着されることになるから、別途ビデオライトをデジタルカメラ１１に取り付ける必要がなく、被写体輝度が低いシーン等でも適正露出の撮影を行うことができる。
【００４３】
次に、別の実施形態を示す図７において、カメラ用アクセサリ１１０は、アクセサリ本体１１１に回動自在に取り付けたグリップ部１１２のアクセサリ本体１１１との連結部１１３から離れた端部にビデオライト１１４を設けてある。このビデオライト１１４の電源スイッチ１１５が連結部１１３近傍のグリップ部１１２に設けられている。
【００４４】
グリップ部１１２を下げた状態でグリップ部１１２を右手で把持すると、右手の下方にビデオライト１１４が位置する。右手の位置がビデオライト１１４の筒１１４ａで規定され、把持が安定する。また、グリップ部１１２の前部には指掛けとなる複数の凹部１１２ａが設けられ、把持しやすくなっている。
【００４５】
次に、別の実施形態を示す図８において、カメラ用アクセサリ１２０は、アクセサリ本体１２１に回動自在に取り付けたグリップ部１２２を３本の脚部１２２ａ〜１２２ｃから構成し、三脚に兼用したものである。アクセサリ本体１２１に脚部１２２ａ〜１２２ｃを回動自在に取り付けている軸１２３には、蝶ねじ１２４が設けてある。
【００４６】
脚部１２２ａ〜１２２ｃを一体的に束ねた状態（Ａ）にして蝶ねじ１２４を回転して締めると、脚部１２２ａ〜１２２ｃが回動不能にロックされ、把持しやすいグリップ部１２２となる。また、蝶ねじ１２４を弛めると、脚部１２２ａ〜１２２ｃが自由に回動可能になるから、脚部１２２ａ〜１２２ｃを互い違いに開いた状態（Ｂ）にしてから、蝶ねじ１２４を締める。これにより、グリップ部１２２は三脚となり、カメラ用アクセサリ１２０を取り付けたデジタルカメラを机上等に安定して立てることができる。この結果、セルフタイマー撮影や手ブレのない撮影を手軽に行うことができる。
【００４７】
以上説明した実施形態では、ＴＶチューナをアクセサリ本体に設け、補助バッテリをグリップ部に設けたが、逆にＴＶチューナをグリップ部に設け、補助バッテリをアクセサリ本体に設けてもよい。また、補助バッテリを省略してカメラ本体から電源をＴＶチューナに供給するようにしてもよい。
【００４８】
また、上記実施形態では、カメラ用アクセサリをデジタルカメラに装着する手段として、雄ねじをダイヤルで回す構成を採用し、雄ねじをデジタルカメラ側の雌ねじに螺合させるようにしたが、本発明はこれに限定されることなく、例えばアクセサリ本体の一端部にカメラ本体の係合穴に係合する係合爪を設け、他端部に留金具を設けるようにしてもよい。
【００４９】
また、上記実施形態では、グリップ部とアクセサリ本体との連結部にフリクションを設けてグリップ部が任意の位置に停止できるようにしたが、クリックストップ機構によりグリップ部が所定位置に停止するようにしてもよい。また、グリップ部が不用意に回動しないようにロック機構を設けてもよい。また、グリップ部を有するアクセサリ本体をカメラ本体に装着するようにしたが、アクセサリ本体に一体的にグリップ部を設け、これを直接的にカメラ本体に着脱自在に取り付ける構成としてもよい。
【００５０】
また、グリップ部を三脚に兼用した実施形態では、蝶ねじによって脚部を固定するようにしたが、本発明はこれに限定されることなく、例えばグリップ部として一体的になる位置で各脚部がクリップストップするようにしてもよい。また、水平方向に設けた１本の軸に各脚部を回動自在に取り付けたが、例えば垂直方向に軸を設け、各脚部が軸に対して傾斜し、長さが段階的に変化して自由端側が水平方向で揃うように形成してもよい。すなわち、各脚部のなす角度が１２０度ずつになるように回動させて開くと三脚とり、０度になるように閉じればグリップ部になる。この場合、軸端に蝶ねじを設け、三脚及びグリップ部の各状態で脚部を固定する。
【００５１】
【発明の効果】
以上のように、本発明のカメラ用アクセサリによれば、デジタルカメラの液晶ディスプレイにテレビ映像を表示するテレビチューナをグリップ部又はアクセサリ本体に内蔵したので、デジタルカメラを保持しやすくできるとともに、テレビ機能を簡単に付加できる。また、無線通信装置をグリップ部又はアクセサリ本体に内蔵したので、デジタルカメラを保持しやすくできるとともに、デジタルカメラを遠隔操作できる。また、テレビチューナや無線通信装置のアンテナをグリップ部に設けるのがよい。
【００５２】
また、補助バッテリをグリップ部又はアクセサリ本体に内蔵したので、デジタルカメラを保持しやすくできるとともに、デジタルカメラに電源を供給でき、長時間の撮影が可能になる。特に電源の消耗が激しい動画撮影時に有効である。また、スピーカをグリップ部又はアクセサリ本体に内蔵したので、デジタルカメラを保持しやすくできるとともに、よりいい音でテレビ観賞等を行うことができる。
【００５３】
また、照明手段をグリップ部に設けたので、デジタルカメラを保持しやすくできるとともに、別途にビデオライト等の照明手段を設けることなく、手軽に被写体を照明することができる。また、グリップ部に三脚機能を持たせたので、デジタルカメラを保持しやすくできるとともに、手軽にデジタルカメラを立てることができ、セルフタイマー撮影や手ブレのない撮影を手軽に行うことができる。
【図面の簡単な説明】
【図１】ＴＶチューナを内蔵したカメラ用アクセサリとデジタルカメラとを前面側から示す斜視図である。
【図２】デジタルカメラに装着したカメラ用アクセサリを背面側から示す斜視図である。
【図３】カメラ用アクセサリ及びデジタルカメラの電気的構成の概略を示すブロック図である。
【図４】スピーカを内蔵したカメラ用アクセサリを示す斜視図である。
【図５】無線通信装置を内蔵したカメラ用アクセサリを示す斜視図である。
【図６】ビデオライトを設けたカメラ用アクセサリを示す斜視図である。
【図７】ビデオライトを設けた別のカメラ用アクセサリを示す斜視図である。
【図８】グリップ部を三脚に兼用したカメラ用アクセサリを示す斜視図である。
【符号の説明】
１０，９０，９５，１００，１１０，１２０　カメラ用アクセサリ
１１　デジタルカメラ
１６，９１，９６，１０１，１１１，１２１　アクセサリ本体
２５，９２，９７，１０２，１１２，１２２　グリップ部
２６　ＴＶチューナ
２７　補助バッテリ
２９，９４，９９　ロッドアンテナ
３８　ヘッドフォン
５０　液晶ディスプレイ
９３　スピーカ部
９８　無線通信装置
１０４，１１４　ビデオライト
１２２ａ〜１２２ｃ　脚部
【図１】
2004117952.tif 000003
【図２】
2004117952.tif 000004
【図３】
2004117952.tif 000005
【図４】
2004117952.tif 000006
【図５】
2004117952.tif 000007
【図６】
2004117952.tif 000008
【図７】
2004117952.tif 000009
【図８】
2004117952.tif 000010